(57)【特許請求の範囲】
【請求項１】
車両に備わるアクセルペダル操作部の操作量に応じて開閉するスロットル開度が開度閾値以上となったときに前記アクセルペダル操作部のペダル反力を強める方向に調節する反力調節手段と、
前記車両の走行状態や運転者の操作状態に応じて前記開度閾値を設定する閾値設定手段と、
前記車両が走行している路面の路面状態を検出する路面状態検出手段と、を有するアクセルペダル反力制御装置において、
前記路面状態検出手段は、前記車両のスリップを検出することによって前記路面状態が滑りやすいことを検出し、
前記閾値設定手段は、
前記路面状態検出手段が前記車両のスリップを検出した場合に、前記スロットル開度が前記開度閾値以下のとき、前記開度閾値を所定の減少量だけ小さくするとともに、
前記スロットル開度が前記開度閾値より大きい場合に、前記路面状態検出手段が前記車両のスリップを検出しないとき、前記開度閾値を所定の増加量だけ大きくし、
前記開度閾値を所定の減少量だけ小さくするときの変化量を、前記開度閾値を所定の増加量だけ大きくするときの変化量よりも大きくすることを特徴とするアクセルペダル反力制御装置。
【請求項２】
前記閾値設定手段は、
前記路面状態検出手段が前記車両のスリップを検出した場合に、前記スロットル開度が前記開度閾値以下のときは、そのときの前記スロットル開度から所定の減少量だけ小さい開度を前記開度閾値に設定することを特徴とする請求項１に記載のアクセルペダル反力制御装置。
【請求項３】
前記スロットル開度が前記開度閾値より大きい場合に、前記路面状態検出手段が前記車両のスリップを検出しないとき、
前記閾値設定手段は、そのときの前記スロットル開度から所定の増加量だけ大きい開度を前記開度閾値に設定することを特徴とする請求項１または請求項２に記載のアクセルペダル反力制御装置。
【請求項４】
前記車両の車速を検出する車速検出手段、前記車両の前後方向の傾斜を検出する傾斜検出手段、前記車両の旋回を検出する旋回検出手段、の少なくとも１つを備え、
前記閾値設定手段は、
前記車両が、前記車速が所定値以下の状態、前後方向の傾斜が所定値以上の状態、旋回している状態、の少なくとも１つの状態にあると判定したときに、前記開度閾値を小さくする度合いを高くすることを特徴とする請求項１乃至請求項３のいずれか１項に記載のアクセルペダル反力制御装置。
【請求項５】
前記閾値設定手段は、前記車両の走行特性を切り換える境界として決定される基準開度よりも大きくならないように前記開度閾値を大きくすることを特徴とする請求項１乃至請求項４のいずれか１項に記載のアクセルペダル反力制御装置。
【発明の詳細な説明】
【技術分野】
【０００１】
本発明は、アクセルペダル装置のペダル反力を調節可能なアクセルペダル反力制御装置に関する。
【背景技術】
【０００２】
運転者等が踏み込み操作するときの踏力を変更するために、踏み込み操作に対してペダル反力を発生する、アクセルペダル等のペダル装置はよく知られている（例えば、特許文献１参照）。特許文献１に記載されるアクセルペダル踏力制御装置（アクセルペダル反力制御装置）は、路面状態等に応じてアクセルペダルの踏力（ペダル反力）を変更できる。
【先行技術文献】
【特許文献】
【０００３】
【特許文献１】特開２００４−３１４８７１号公報
【発明の概要】
【発明が解決しようとする課題】
【０００４】
例えば特許文献１に記載される技術では、タイヤ回転数信号から求めたタイヤスリップ率が所定値以上である場合や、外気温が低い場合や、走行モードがスノーモードである場合に、路面が滑りやすくスリップが発生しやすいと判断してアクセルペダルの踏み込み側の踏力を大きくするようにペダル反力を調節している。
しかしながら、路面状態は、走行中に逐次変化するためアクセルペダルの踏み込み量が同じであってもスリップが発生する場合と発生しない場合がある。換言すると、路面が滑りやすい路面状態と判断された場合に所定の踏み込み量でペダル反力を大きくしても、路面状態が変わるとその踏み込み量でスリップが発生するとは限らない。または、ペダル反力が大きくなる踏み込み量に達する前にスリップが発生する場合もある。
さらに、特許文献１に記載される技術では、スリップが発生したときにアクセルペダルの踏力（ペダル反力）を大きくしているが、この構成ではスリップが発生しないとアクセルペダルの踏力が大きくならないため、車両の操舵安定性に影響が出る場合がある。
【０００５】
そこで、本発明は、路面状態の変化に応じてアクセルペダル装置のペダル反力を調節可能なアクセルペダル反力制御装置を提供することを課題とする。
【課題を解決するための手段】
【０００６】
前記課題を解決するため、本発明は、車両に備わるアクセルペダル操作部の操作量に応じて開閉するスロットル開度が開度閾値以上となったときに前記アクセルペダル操作部のペダル反力を強める方向に調節する反力調節手段と、前記車両の走行状態や運転者の操作状態に応じて前記開度閾値を設定する閾値設定手段と、前記車両が走行している路面の路面状態を検出する路面状態検出手段と、を有するアクセルペダル反力制御装置とする。そして、前記路面状態検出手段は、前記車両のスリップを検出することによって前記路面状態が滑りやすいことを検出し、前記閾値設定手段は、前記路面状態検出手段が前記車両のスリップを検出した場合に、前記スロットル開度が前記開度閾値以下のとき、前記開度閾値を所定の減少量だけ小さくするとともに、前記スロットル開度が前記開度閾値より大きい場合に、前記路面状態検出手段が前記車両のスリップを検出しないとき、前記開度閾値を所定の増加量だけ大きくし、前記開度閾値を所定の減少量だけ小さくするときの変化量を、前記開度閾値を所定の増加量だけ大きくするときの変化量よりも大きくすることを特徴とする。
【０００７】
この発明によると、ペダル反力を強める境界となる開度閾値が、滑りやすい路面状態のときに小さくなる。したがって、路面状態に応じたペダル反力の調節が可能となり、車両がスリップしやすい路面状態のときには、スロットル開度が小さい状態でもスリップが発生しやすいことを運転者に通知できる。
また、車両にスリップが発生した場合にスロットル開度が開度閾値以下のとき、ペダル反力を強める境界の開度閾値を小さくできる。したがって、運転者が次回ペダル操作部を踏み込み操作するときには、スリップが発生するスロットル開度よりも小さなスロットル開度でペダル反力が強くなり、車両にスリップが発生する前に、スリップが発生する可能性のあるスロットル開度に近づいたことを運転者に通知できる。
また、スロットル開度が開度閾値を超えるように運転者がペダル操作部を踏み込み操作したときにスリップが発生しない場合、開度閾値を大きくすることができる。したがって、車両にスリップが発生しにくい路面状態のときに過剰にペダル反力が強まることが抑制されて操作性が向上する。
【００１０】
また、この発明に係るアクセルペダル反力制御装置は、前記路面状態検出手段は、前記車両のスリップを検出することによって前記路面状態が滑りやすいことを検出し、前記閾値設定手段は、前記路面状態検出手段が前記車両のスリップを検出した場合に、前記スロットル開度が前記開度閾値以下のときは、そのときの前記スロットル開度から所定の減少量だけ小さい開度を前記開度閾値に設定することを特徴とする。
【００１１】
この発明によると、車両にスリップが発生した場合にスロットル開度が開度閾値以下のとき、スリップが発生したスロットル開度よりも小さく開度閾値を設定でき、スリップが発生しないスロットル開度を開度閾値に設定できる。
【００１４】
また、この発明に係るアクセルペダル反力制御装置は、前記スロットル開度が前記開度閾値より大きい場合に、前記路面状態検出手段が前記車両のスリップを検出しないとき、前記閾値設定手段は、そのときの前記スロットル開度から所定の増加量だけ大きい開度を前記開度閾値に設定することを特徴とする。
【００１５】
この発明によると、スロットル開度が開度閾値より大きい場合に車両にスリップが発生しないとき、スリップが発生していないスロットル開度よりも大きく開度閾値を設定でき、スリップが発生しないスロットル開度を開度閾値に設定できる。
【００１６】
また、この発明に係るアクセルペダル反力制御装置は、前記車両の車速を検出する車速検出手段、前記車両の前後方向の傾斜を検出する傾斜検出手段、前記車両の旋回を検出する旋回検出手段、の少なくとも１つを備え、前記閾値設定手段は、前記車両が、前記車速が所定値以下の状態、前後方向の傾斜が所定値以上の状態、旋回している状態、の少なくとも１つの状態にあると判定したときに、前記開度閾値を小さくする度合いを高くすることを特徴とする。
【００１７】
この発明によると、スリップが発生しやすい車両の状態のときにスリップが検出されたときは、ペダル反力が強くなる開度閾値をより小さくできる。したがって、スリップが発生しやすいことを速やかに運転者に通知できる。
また、前記閾値設定手段は、前記車両の走行特性を切り換える境界として決定される基準開度よりも大きくならないように前記開度閾値を大きくすることを特徴とする。
【発明の効果】
【００１８】
本発明によると、路面状態の変化に応じてアクセルペダル装置のペダル反力を調節可能なアクセルペダル反力制御装置を提供できる。
【図面の簡単な説明】
【００１９】
【図１】車両に備わるアクセルペダル装置の構成図である。
【図２】付加反力が発生する基準開度を示す図である。
【図３】（ａ）は基準開度と反力発生開度が等しい状態を示す図、（ｂ）は反力発生開度が基準開度より開度減少量だけ小さくなった状態を示す図、（ｃ）は基準開度より小さい反力発生開度が、開度減少量だけ小さくなった状態と開度増加量だけ大きくなった状態を示す図である。
【図４】反力発生開度を設定する手順を示すフローチャートである。
【発明を実施するための形態】
【００２０】
以下、本発明を実施するための実施形態について、適宜図を参照して詳細に説明する。
図１に示すように、本実施形態に係るアクセルペダル装置１は車両Ｖに備わり、支持部２ａを支点として揺動する軸部２ｂの先端に、運転者が踏み込み操作するペダルパッド２ｃが取り付けられて構成されるアクセルペダル操作部２と、アクセルペダル操作部２に付与する反力（付加反力）を発生する反力発生装置３と、反力発生装置３を制御する反力制御装置４と、を含んで構成される。
反力発生装置３は発生した反力をアクセルペダル操作部２に付与してペダル反力を調節する反力調節手段であり、制御手段である反力制御装置４によって制御される。そして、反力発生装置３と反力制御装置４を含んで、本実施形態に係るアクセルペダル反力制御装置１０が構成される。
【００２１】
反力発生装置３は、アクセルペダル操作部２に付与する付加反力を任意に発生可能であれば、その構成を限定するものではない。例えば、前記した特許文献１に記載される構造のものを利用すればよい。
【００２２】
さらに、アクセルペダル装置１には、アクセルペダル操作部２の操作量（ストローク量）を検出する操作量検出手段としてストロークセンサ５が備わり、検出値を反力制御装置４に入力可能に構成される。反力制御装置４はストロークセンサ５から入力される検出値に基づいてアクセルペダル操作部２のストローク量（ペダルの操作量）を演算可能に構成される。
【００２３】
そして反力制御装置４は、アクセルペダル操作部２のストローク量に基づいて図示しないスロットル弁の開度（スロットル開度）を演算可能に構成される。スロットル開度はアクセルペダル操作部２のストローク量に応じて変化することから、例えば、反力制御装置４は、ストローク量とスロットル開度の関係を示すマップ（開度マップ）を予め備え、ストロークセンサ５から入力される検出値に基づいてストローク量を演算し、開度マップを参照して演算したストローク量に対応するスロットル開度を演算する。
【００２４】
また、車両Ｖには駆動輪（前輪駆動の場合は前輪）の回転速度を検出する回転速度計（駆動輪回転速度計ＲＳ１）と、従動輪（前輪駆動の場合は後輪）の回転速度を検出する回転速度計（従動輪回転速度計ＲＳ２）と、が備わり、それぞれ検出値を反力制御装置４に入力するように構成される。
この構成によって反力制御装置４は駆動輪と従動輪の回転速度を取得でき、車両Ｖの車速（車体速）を演算できる。さらに、駆動輪と従動輪の回転速度差からスリップの発生を検出できる。具体的に、反力制御装置４は、駆動輪と従動輪の回転速度差が予め設定される所定値より大きいときに、車両Ｖにスリップが発生したと判定するように構成される。そして反力制御装置４は、スリップの発生を検出したことをもって路面状態が滑りやすいことを検出する。この構成によって、本実施形態に係る反力制御装置４は路面状態を検出する路面状態検出手段として機能する。
【００２５】
このように構成されるアクセルペダル反力制御装置１０において、反力制御装置４はスロットル開度に応じて反力発生装置３を制御し、スロットル開度に対応した付加反力を発生してアクセルペダル操作部２に付与するように構成される。
例えば反力制御装置４は、予め設定されているマップ（反力設定マップ）に基づいて、アクセルペダル操作部２に付与する付加反力の強さを決定するように構成される。例えば、事前の実験計測等によって予め決定されているスロットル開度とアクセルペダル操作部２に付与する付加反力の強さの関係を示す反力設定マップが反力制御装置４の図示しない記憶部に記憶されている構成とすれば、反力制御装置４は演算したスロットル開度に基づいて反力設定マップを参照し、アクセルペダル操作部２に付与する付加反力の強さを決定できる。
【００２６】
なお、符号９ａはハンドル等の操舵装置（図示せず）の舵角を検出する舵角センサ、符号９ｂは車両Ｖの前後方向の傾斜を検出する傾斜センサ（傾斜検出手段）であって、舵角センサ９ａおよび傾斜センサ９ｂは検出値を反力制御装置４に入力可能に構成される。
【００２７】
図２に示すように、反力制御装置４（図１参照）は、スロットル開度が、基準となる開度閾値（以下、基準開度Ｔ１という）に達したとき、反力発生装置３（図１参照）を制御して付加反力を発生しアクセルペダル操作部２（図１参照）に付与する。この構成によって、スロットル開度が基準開度Ｔ１に達した時点で、発生した付加反力によってペダル反力がステップ状に上昇する（強くなる）。
このように反力制御装置４は、スロットル開度が基準開度Ｔ１に達したとき、アクセルペダル操作部２のペダル反力を強める方向に調節する。
この基準開度Ｔ１は、例えば、ロックアップクラッチのＯＮ（接続）とＯＦＦ（解放）など車両Ｖの走行特性が切り換わる境界のスロットル開度として、反力制御装置４によって車両Ｖの走行状態（車速等）に応じて適宜決定される。
例えば、車速と基準開度Ｔ１との好適な関係が実験計測等によって予め決定され、車速と基準開度Ｔ１の関係を示すマップ形式のデータが予め備わる構成とすれば、反力制御装置４は車両Ｖの車速に応じて当該マップを参照して基準開度Ｔ１を設定できる。
【００２８】
なお、基準開度Ｔ１は、予め設定されている所定の固定値（開度）であってもよい。例えば、実験計測等によって予め基準開度Ｔ１を設定し、その設定値（開度）が図示しない記憶部に記憶される構成とすれば、反力制御装置４は図示しない記憶部から読み出すことによって基準開度Ｔ１を設定できる。
【００２９】
車両Ｖ（図１参照）の運転者は、ペダル反力が強くなったことによってスロットル開度が走行特性が切り換わるスロットル開度に達したことを認識できる。
そして、走行特性を変えない意思がある場合、運転者はペダル反力が強くなった時点でアクセルペダル操作部２の踏み込みを緩めることによって、走行特性を変えることなく車両Ｖを走行できる。
例えば、基準開度Ｔ１を境界とするスロットル開度の開閉で切り換わる走行特性がロックアップクラッチのＯＮとＯＦＦの場合、ロックアップクラッチを切り換えることなく（ＯＮからＯＦＦへ切り換えることなく）車両Ｖを走行できる。
【００３０】
しかしながら、走行特性が同じであっても車両Ｖ（図１参照）が走行している路面状態によってはエンジン出力が上昇すると車両Ｖにスリップが発生する場合がある。
そこで、本実施形態においては、反力制御装置４（図１参照）が、付加反力を発生するスロットル開度の開度閾値を車両Ｖが走行している路面状態に応じて変更し、スリップが発生する可能性のあるスロットル開度を運転者に好適に通知可能な構成とする。以下、路面状態に応じて変更される、反力制御装置４が実際に付加反力を発生するスロットル開度の開度閾値を反力発生開度Ｔ２と称する。
つまり反力制御装置４は、スロットル開度が反力発生開度Ｔ２に達したとき反力発生装置３（図１参照）を制御して付加反力を発生させてアクセルペダル操作部２（図１参照）に付与し、アクセルペダル操作部２のペダル反力を強める方向に調節する。
また、反力制御装置４はスロットル開度の開度閾値（反力発生開度Ｔ２）を設定する閾値設定手段として機能する。
【００３１】
車両Ｖの始動直後（イグニッションがＯＮされたとき）などの初期状態において、図３の（ａ）に示すように、反力制御装置４（図１参照）は所定のインターバルで基準開度Ｔ１を設定し、さらに、演算した基準開度Ｔ１を反力発生開度Ｔ２とする。そして、運転者によるアクセルペダル操作部２（図１参照）の踏み込み操作によってスロットル開度が基準開度Ｔ１（反力発生開度Ｔ２）に達したとき、反力制御装置４は反力発生装置３（図１参照）を制御し付加反力を発生してアクセルペダル操作部２に付与する。
アクセルペダル操作部２のペダル反力は、スロットル開度が基準開度Ｔ１（反力発生開度Ｔ２）に達したときに、付与される付加反力によってステップ状に上昇する。
【００３２】
さらに、本実施形態に係る反力制御装置４（図１参照）は、車両Ｖ（図１参照）にスリップが発生しているか否かを判定する。前記したように反力制御装置４は、駆動輪と従動輪の回転速度差が所定値以上のときに車両Ｖにスリップが発生していると判定する。反力制御装置４はスリップが発生していると判定した場合、つまり車両Ｖのスリップを検出した場合、車両Ｖが走行している路面が滑りやすい路面状態であると判定する。そして、現在のスロットル開度が基準開度Ｔ１以下であれば、図３の（ｂ）に「Ａ」で示すように反力発生開度Ｔ２を基準開度Ｔ１より小さくする方向に変更する（細い破線で図示）。つまり、基準開度Ｔ１より所定の減少量だけ小さい開度を反力発生開度Ｔ２とする。なお、図３の（ｂ）、（ｃ）における「ΔＴ」は、基準開度Ｔ１と反力設定開度Ｔ２の偏差を示す。また、反力発生開度Ｔ２を小さくする所定の減少量を、以下、開度減少量Ｔａと称する。開度減少量Ｔａおよび偏差ΔＴは正数とし、反力発生開度Ｔ２は、開度減少量Ｔａが減算された量（開度）だけスロットル開度が小さくなることを示す。
つまり、反力制御装置４は、基準開度Ｔ１から偏差ΔＴに相当する値を減算した開度を反力発生開度Ｔ２とし、反力発生開度Ｔ２を小さくする。
【００３３】
開度減少量Ｔａは予め決定される固定値であってもよいし、現在設定されている反力発生開度Ｔ２に対して所定の割合で変更する構成であってもよい。例えば、現在設定されている反力発生開度Ｔ２の１０％に相当する開度を開度減少量Ｔａと決定する構成であってもよい。
【００３４】
また開度減少量Ｔａが、車両Ｖ（図１参照）の走行状態や運転者の操作状態に応じて適宜変化する値であってもよい。ここでいう車両Ｖの走行状態は、例えば、車速、路面の傾斜（勾配）である。また、運転者の操作状態は、例えば、ハンドル等の操舵装置の操舵状態（舵角）である。
【００３５】
例えば発進時など車両Ｖ（図１参照）の車速が低いときは、所定の走行速度（クルーズ速度）で走行する場合に比べて駆動輪が空転しやすい。換言すると、車速が低速の場合はスロットル開度が小さくエンジン出力が低くてもスリップが発生する場合がある。そこで、反力制御装置４（図１参照）がスリップを検出したときの車速が低い場合は車速が高い場合よりも小さなスロットル開度で付加反力を発生してペダル反力を強め、スリップが発生する可能性のあるスロットル開度に近づいたことを運転者に通知する構成が好ましい。つまり、車両Ｖの車速が低速の場合は高速の場合よりも開度減少量Ｔａが大きくなる構成が好ましい。
【００３６】
例えば、車速に対応する好適な開度減少量Ｔａが実験計測等で設定され、車速と開度減少量Ｔａの相関関係がマップとして図示しない記憶部に記憶される構成であればよい。反力制御装置４は車速に応じて当該マップを参照して開度減少量Ｔａを適宜決定できる。または、車速が予め設定される所定値よりも小さいときに、反力制御装置４が開度減少量Ｔａを所定数倍（１．５倍など）する構成であってもよい。
このように開度減少量Ｔａを大きくすることによって、反力制御装置４は反力発生開度Ｔ２を小さくする度合いを高くすることができる。
なお、反力制御装置４は、例えば従動輪回転速度計ＲＳ２（図１参照）の検出値に基づいて車速を算出する構成とすればよい。この場合、従動輪回転速度計ＲＳ２が本実施形態における車速検出手段となる。
【００３７】
また、車両Ｖ（図１参照）が旋回しているときは直進走行時に比べてスリップが発生しやすい。換言すると、車両Ｖが旋回している場合はスロットル開度が小さくエンジン出力が低くてもスリップが発生する場合がある。そこで、反力制御装置４（図１参照）がスリップを検出したときに車両Ｖが旋回している場合は旋回していない場合よりも小さなスロットル開度で付加反力を発生してペダル反力を強め、スリップが発生する可能性のあるスロットル開度に近づいたことを運転者に通知する構成が好ましい。つまり、車両Ｖが旋回している場合は旋回していない場合よりも開度減少量Ｔａが大きくなる構成が好ましい。
【００３８】
例えば車両Ｖ（図１参照）に備わる舵角センサ９ａ（図１参照）の検出値に対応する好適な開度減少量Ｔａが実験計測等で設定され、舵角センサ９ａの検出値と開度減少量Ｔａの相関関係がマップとして図示しない記憶部に記憶される構成であればよい。反力制御装置４は舵角センサ９ａの検出値に応じて当該マップを参照して開度減少量Ｔａを適宜決定できる。
または、舵角センサ９ａの検出値の替わりにヨーレートセンサ（図示せず）の検出値と開度減少量Ｔａの相関関係がマップとして備わる構成であってもよい。そして、反力制御装置４は、ヨーレートセンサの検出値に応じて当該マップを参照して開度減少量Ｔａを適宜決定する構成であってもよい。
なお、舵角センサ９ａまたはヨーレートセンサの検出値が所定値より大きいときに、車両Ｖが旋回していると反力制御装置４が判定し、開度減少量Ｔａを所定数倍する構成であってもよい。この場合、舵角センサ９ａ（または、ヨーレートセンサ）が本実施形態における旋回検出手段となる。
このように開度減少量Ｔａを大きくすることによって、反力制御装置４は反力発生開度Ｔ２を小さくする度合いを高くすることができる。
【００３９】
また、車両Ｖ（図１参照）が前後方向に傾斜している勾配路を走行しているときは平坦路を走行するときに比べてスリップが発生しやすい。換言すると、車両Ｖが勾配路を走行している場合はスロットル開度が小さくエンジン出力が低くてもスリップが発生する場合がある。そこで、反力制御装置４（図１参照）がスリップを検出したときに車両Ｖが勾配路を走行している場合は平坦路を走行している場合よりも小さなスロットル開度で付加反力を発生してペダル反力を強め、スリップが発生する可能性のあるスロットル開度に近づいたことを運転者に通知する構成が好ましい。つまり、車両Ｖが勾配路を走行している場合は平坦路を走行している場合よりも開度減少量Ｔａが大きくなる構成が好ましい。
【００４０】
例えば車両Ｖ（図１参照）に備わって前後方向の傾斜を検出する傾斜センサ９ｂ（図１参照）の検出値に対応する好適な開度減少量Ｔａが実験計測等で設定され、傾斜センサ９ｂの検出値と開度減少量Ｔａの相関関係がマップとして図示しない記憶部に記憶される構成であればよい。反力制御装置４は傾斜センサ９ｂの検出値に応じて当該マップを参照して開度減少量Ｔａを適宜決定できる。または、傾斜センサ９ｂの検出値が所定値よりも大きいときに、車両Ｖの前後方向の傾斜が所定値よりも大きいと反力制御装置４が判定し、開度減少量Ｔａを所定倍する構成であってもよい。
このように開度減少量Ｔａを大きくすることによって、反力制御装置４は反力発生開度Ｔ２を小さくする度合いを高くすることができる。
【００４１】
以上のように、車両Ｖ（図１参照）の走行状態（車速、路面の勾配等）や、運転者の操作状態（舵角等）に基づいて開度減少量Ｔａを変更することによって、スリップしにくい路面状態の場合に反力発生開度Ｔ２が過剰に小さくなることが防止される。したがって、実際には車両Ｖにスリップが発生しない小さなスロットル開度でペダル反力が過剰に強くなることが抑制され、運転者による車両Ｖの操作性が低下することが回避される。
【００４２】
スロットル開度が反力発生開度Ｔ２より小さくなったら反力制御装置４（図１参照）は、反力発生装置３（図１参照）を制御して付加反力の発生を停止する。
その後、運転者によるアクセルペダル操作部２（図１参照）の踏み込み操作によって、スロットル開度が変更後の反力発生開度Ｔ２（図３の（ｂ）に細い破線で図示）に達したとき、反力制御装置４は反力発生装置３を制御し付加反力を発生してアクセルペダル操作部２に付与する（図３の（ｂ）に太破線で図示）。また、反力制御装置４は車両Ｖ（図１参照）にスリップが発生しているか否かを判定する。
【００４３】
そして、車両Ｖ（図１参照）にスリップが発生していると判定した場合、つまり、スリップを検出した場合にスロットル開度が反力発生開度Ｔ２より小さいとき、反力制御装置４（図１参照）は、図３の（ｃ）に「Ａ」で示すように、反力発生開度Ｔ２をさらに小さくする（細い一点鎖線で図示）。つまり、前回反力発生開度Ｔ２を設定したときの偏差ΔＴに開度減少量Ｔａを加算した開度を新たな偏差ΔＴとし、基準開度Ｔ１から新たな偏差ΔＴに相当する値を減算した開度を新たな反力発生開度Ｔ２とする。
【００４４】
一方、運転者が反力発生開度Ｔ２を超えてスロットル開度が開くようにアクセルペダル操作部２（図１参照）を踏み込み操作した状態で車両Ｖにスリップが発生していないと判定したとき、反力制御装置４（図１参照）は、図３の（ｃ）に「Ｂ」で示すように、基準開度Ｔ１に近づける方向に反力発生開度Ｔ２を変更する（細い二点鎖線で図示）。つまり、反力制御装置４は、基準開度Ｔ１と反力発生開度Ｔ２の偏差ΔＴが所定の増加量だけ小さくなるように新たな偏差ΔＴを設定し、基準開度Ｔ１から新たな偏差ΔＴに相当する値を減算した開度を新たな反力発生開度Ｔ２とする。
【００４５】
以下、反力発生開度Ｔ２を基準開度Ｔ１の方向に変更する所定の増加量（反力発生開度Ｔ２を大きくする所定の増加量）を開度増加量Ｔｂと称する。
開度増加量Ｔｂは予め設定される固定値であってもよいし、現在設定されている反力発生開度Ｔ２に対して所定の割合で変更する構成であってもよい。例えば、現在設定されている反力発生開度Ｔ２の１％に相当する開度を開度増加量Ｔｂと決定する構成であってもよい。
開度増加量Ｔｂは正数とし、反力発生開度Ｔ２は、開度増加量Ｔｂが加算された量（開度）だけスロットル開度が大きくなることを示す。
【００４６】
また、開度増加量Ｔｂは、車両Ｖの状態に応じて適宜設定される値であってもよい。
例えば、車両Ｖ（図１参照）の車速が低いときは、前記したようにスリップが発生しやすい状態であるため、車速が高速の場合よりも小さなスロットル開度で付加反力が発生する構成が好ましい。したがって、車速が低いときは車速が高いときより小さな開度増加量Ｔｂとなって、反力発生開度Ｔ２が小さく設定される構成が好ましい。
また、車両Ｖが旋回しているときは、前記したように直進走行しているときよりもスリップが発生しやすい状態であるため、車両Ｖが直進走行している場合よりも小さなスロットル開度で付加反力が発生する構成が好ましい。したがって、車両Ｖが旋回しているときは直進走行しているときより小さな開度増加量Ｔｂとなって、反力発生開度Ｔ２が小さく設定される構成が好ましい。
また、車両Ｖが前後方向に傾斜している勾配路を走行しているときは、前記したようにスリップが発生しやすい状態であるため、平坦路を走行しているときよりも小さなスロットル開度で付加反力が発生する構成が好ましい。したがって、車両Ｖが勾配路を走行しているときは平坦路を走行しているときより小さな開度増加量Ｔｂとなって、反力発生開度Ｔ２が小さく設定される構成が好ましい。
【００４７】
なお、開度増加量Ｔｂについても、車速に対応する好適な開度増加量Ｔｂが実験計測等によって設定され、車速と開度増加量Ｔｂの相関関係がマップとして図示しない記憶部に記憶される構成であればよい。反力制御装置４（図１参照）は車速に応じて当該マップを参照して開度増加量Ｔｂを適宜決定できる。
また、舵角センサ９ａ（図１参照）の検出値に対応する好適な開度増加量Ｔｂが実験計測等によって設定され、舵角センサ９ａの検出値と開度増加量Ｔｂの相関関係がマップとして図示しない記憶部に記憶される構成であればよい。反力制御装置４は舵角センサ９ａの検出値に応じて当該マップを参照して開度増加量Ｔｂを適宜決定できる。または、舵角センサ９ａの替わりにヨーレートセンサ（図示せず）が備わる構成であってもよい。
また、傾斜センサ９ｂ（図１参照）の検出値に対応する好適な開度増加量Ｔｂが実験計測等によって設定され、傾斜センサ９ｂの検出値と開度増加量Ｔｂの相関関係がマップとして図示しない記憶部に記憶される構成であればよい。反力制御装置４は傾斜センサ９ｂの検出値に応じて当該マップを参照して開度増加量Ｔｂを適宜決定できる。
【００４８】
このように反力発生開度Ｔ２が変更された後、運転者によるアクセルペダル操作部２（図１参照）の踏み込み操作によって、スロットル開度が変更後の反力発生開度Ｔ２に達したとき、反力制御装置４は反力発生装置３を制御して付加反力を発生しアクセルペダル操作部２に付与する。
例えば、図３の（ｃ）に細い一点鎖線で示すように偏差ΔＴが大きくなって反力発生開度Ｔ２がさらに小さく変更されている場合（Ａの方向）、反力制御装置４は、運転者のアクセルペダル操作部２（図１参照）の踏み込み操作によってスロットル開度が変更後の反力発生開度Ｔ２に達したときに反力発生装置３を制御して付加反力を発生し、アクセルペダル操作部２に付与する。付加反力が付与されたアクセルペダル操作部２のペダル反力は太い一点鎖線で示すように、スロットル開度が変更後の反力発生開度Ｔ２に達した時点でステップ状に増大し、その後はスロットル開度の増大にともなって増大する。
【００４９】
一方、図３の（ｃ）に細い二点鎖線で示すように偏差ΔＴが小さくなって反力発生開度Ｔ２が基準開度Ｔ１に近づく方向に変更されている場合（Ｂの方向）、反力制御装置４は、運転者のアクセルペダル操作部２（図１参照）の踏み込み操作によってスロットル開度が変更後の反力発生開度Ｔ２に達したときに反力発生装置３を制御して付加反力を発生し、アクセルペダル操作部２に付与する。付加反力が付与されたアクセルペダル操作部２のペダル反力は太い二点鎖線で示すように、スロットル開度が変更後の反力発生開度Ｔ２に達した時点でステップ状に増大し、その後はスロットル開度の増大にともなって増大する。
【００５０】
以上のような反力発生開度Ｔ２の変更とスリップ発生の判定が連続して実行され、スロットル開度が反力発生開度Ｔ２より小さいときに反力制御装置４（図１参照）がスリップの発生を検出する場合、反力発生開度Ｔ２が連続して小さくなるように構成される。
また、スロットル開度が反力発生開度Ｔ２より大きいときに反力制御装置４がスリップの発生を検出しない場合、反力発生開度Ｔ２が連続して大きくなるように構成される。
【００５１】
なお、反力発生開度Ｔ２の値によらず、スロットル開度が反力発生開度Ｔ２に達したときにはペダル反力が一定になるように付加反力が発生する構成が好適である。
例えば、図３の（ｂ）に示すように反力発生開度Ｔ２が基準開度Ｔ１より開度減少量Ｔａだけ小さく変更されている場合、基準開度Ｔ１におけるスロットル開度よりも小さなスロットル開度で付加反力が発生する。換言すると、付加反力が発生するときにアクセルペダル操作部２（図１参照）に発生しているペダル反力が小さくなる。
この場合、反力制御装置４（図１参照）は、スロットル開度が基準開度Ｔ１に達したときに付加反力が付与される場合と同じペダル反力となるように、スロットル開度が反力発生開度Ｔ２に達したときに付加反力を発生させる構成が好ましい。
この構成によって、スロットル開度が反力発生開度Ｔ２に達したときにアクセルペダル操作部２（図１参照）に発生するペダル反力は、スロットル開度が基準開度Ｔ１に達したときにアクセルペダル操作部２に発生するペダル反力と同等になり、運転者はペダル反力が強くなったことを好適に認識できる。
【００５２】
また、図３の（ｃ）に示すように、反力発生開度Ｔ２が大きくなるＢの方向（偏差ΔＴが小さくなる方向）に変化するときの開度増加量Ｔｂは、反力発生開度Ｔ２が小さくなるＡの方向（偏差ΔＴが大きくなる方向）に変化するときの開度減少量Ｔａよりも小さいこと（「Ｔｂ＜Ｔａ」であること）が好ましい。
例えば、偏差ΔＴが小さくなる開度増加量Ｔｂを、偏差ΔＴが大きくなる開度減少量Ｔａの１０％程度になるように設定する構成であればよい。つまり、反力発生開度Ｔ２は、基準開度Ｔ１から小さくなる方向への変更よりも小さな変化量で基準開度Ｔ１に近づく方向に変更される構成が好ましい。
【００５３】
例えば、図３の（ｂ）に示すように、基準開度Ｔ１より開度減少量Ｔａだけ小さい反力発生開度Ｔ２が設定されている場合（偏差ΔＴが開度減少量Ｔａと等しい場合）、反力発生開度Ｔ２と基準開度Ｔ１の間のスロットル開度におけるエンジン出力で車両Ｖ（図１参照）にスリップが発生する路面状態であれば、スロットル開度が反力発生開度Ｔ２のとき車両Ｖにスリップは発生しない。このときに、反力発生開度Ｔ２を基準開度Ｔ１まで戻すと、付加反力が発生する状態（つまり、スロットル開度が基準開度Ｔ１の状態）では車両Ｖにスリップが発生する場合がある。この場合、スロットル開度が基準開度Ｔ１に達したときに強くなるペダル反力は、運転者にスリップの発生を事前に通知できない。このことから、反力発生開度Ｔ２を基準開度Ｔ１に近づける方向に変更する開度増加量Ｔｂは、反力発生開度Ｔ２を小さくする方向に変更する開度減少量Ｔａより小さいことが好ましい。
【００５４】
図４を参照して、反力制御装置４が反力発生開度Ｔ２を変更する手順を説明する（適宜、図１〜３参照）。
例えば、車両Ｖが始動（イグニッションがＯＮ）したとき、反力制御装置４は反力発生開度Ｔ２の設定を開始する。
反力制御装置４は、車両Ｖの走行状態（車速等）に応じて基準開度Ｔ１を演算して（ステップＳ１）、現在設定されている偏差ΔＴを基準開度Ｔ１から減算して反力発生開度Ｔ２を設定し（ステップＳ２）、さらに、車両Ｖにスリップが発生しているか否かを判定する（ステップＳ３）。なお、車両Ｖの始動直後など初期状態において偏差ΔＴは「０」とする。
【００５５】
ステップＳ３で反力制御装置４は、前記したように駆動輪回転速度計ＲＳ１の検出値と従動輪回転速度計ＲＳ２の検出値との差から車両Ｖのスリップを判定する。そして、スリップが発生していると判定した場合（ステップＳ３→Ｙｅｓ）、つまり、スリップを検出した場合、反力制御装置４は、運転者のアクセルペダル操作部２の踏み込み操作によるスロットル開度と現在設定されている反力設定開度Ｔ２を比較する（ステップＳ４）。
具体的に反力制御装置４は、ストロークセンサ５から入力される検出値に基づいてアクセルペダル操作部２の操作量を演算し、さらに、演算した操作量に基づいてスロットル開度を演算する。
【００５６】
反力設定開度Ｔ２よりスロットル開度が大きい場合（ステップＳ４→Ｎｏ）、反力制御装置４は開度減少量Ｔａを「０」にする（ステップＳ５）。
一方、スロットル開度が反力設定開度Ｔ２以下の場合（ステップＳ４→Ｙｅｓ）、反力制御装置４は開度減少量Ｔａを設定する（ステップＳ６）。このときの開度減少量Ｔａは前記したように、予め設定された固定値であってもよいし、現在設定されている反力設定開度Ｔ２に対して所定の割合になる開度であってもよい。または、前記したように車両Ｖの走行状態（車速、路面の勾配等）や運転者の操作状態（舵角等）に基づいて適宜演算される値であってもよい。
そして反力制御装置４は、現在設定されている反力発生開度Ｔ２と基準開度Ｔ１の偏差ΔＴに開度減少量Ｔａを加算して新たな偏差ΔＴとする（ステップＳ７）。
【００５７】
なお、ステップＳ７において開度減少量Ｔａを加算した偏差ΔＴが、基準開度Ｔ１とクルーズ開度との差より大きい場合は、基準開度Ｔ１とクルーズ開度との差を偏差ΔＴとする。ここでいうクルーズ開度は、車両Ｖが現在の車速（クルーズ速度）で定速走行するためのスロットル開度を示す。このように偏差ΔＴを制限することによって、運転者が車両Ｖを定速走行させるようにアクセルペダル操作部２を操作するときにペダル反力が過剰に強くなることを防止できる。
【００５８】
一方、ステップＳ３でスリップ発生と判定しない場合（ステップＳ３→Ｎｏ）、つまり、スリップを検出しない場合、反力制御装置４は、運転者のアクセルペダル操作部２の踏み込み操作によるスロットル開度と現在設定されている反力設定開度Ｔ２を比較する（ステップＳ８）。具体的に反力制御装置４は、ストロークセンサ５の検出値に基づいて演算するスロットル開度と現在設定されている反力設定開度Ｔ２を比較する。
【００５９】
スロットル開度が現在設定されている反力設定開度Ｔ２より小さい場合（ステップＳ８→Ｎｏ）、反力制御装置４は開度増加量Ｔｂを「０」にする（ステップＳ９）。
一方、スロットル開度が現在設定されている反力設定開度Ｔ２以上の場合（ステップＳ８→Ｙｅｓ）、反力制御装置４は開度増加量Ｔｂを設定する（ステップＳ１０）。このときの開度増加量Ｔｂは前記したように、予め設定された固定値であってもよいし、現在設定されている反力設定開度Ｔ２に対して所定の割合になる開度であってもよい。または、前記したように車両Ｖの走行状態（車速、路面の勾配等）や運転者の操作状態（舵角等）に基づいて適宜演算される値であってもよい。
そして反力制御装置４は、現在設定されている反力発生開度Ｔ２と基準開度Ｔ１の偏差ΔＴから開度増加量Ｔｂを減算して新たな偏差ΔＴとする（ステップＳ１１）。
なお、ステップＳ１１において開度増加量Ｔｂを減算した偏差ΔＴが「０」より小さい値の場合、反力制御装置４は偏差ΔＴを「０」とする。このように偏差ΔＴを制限することによって、反力設定開度Ｔ２が基準開度Ｔ１よりも大きな開度となることを防止できる。
【００６０】
前記したように、基準開度Ｔ１は、走行特性（例えばロックアップクラッチのＯＮとＯＦＦ）を切り換える境界のスロットル開度であり、反力設定開度Ｔ２が基準開度Ｔ１より大きな開度になると、走行特性の切換点で付加反力が発生せずペダル反力が強くならない。したがって、運転者に走行特性の切換点を通知できない。このことから、反力設定開度Ｔ２は基準開度Ｔ１以下であることが好適である。
【００６１】
反力制御装置４は、ステップＳ７またはステップＳ１１で設定した偏差ΔＴだけ基準開度Ｔ１より小さい開度、つまり、「Ｔ１−ΔＴ」を反力発生開度Ｔ２に設定し（ステップＳ１２）、手順を終了する。
なお、ステップＳ１２で反力発生開度Ｔ２を演算する際に、基準開度Ｔ１から減算する偏差ΔＴに、例えば、車両Ｖ（図１参照）の走行状態（車速、路面の勾配等）や運転者の操作状態（舵角等）に対応して設定される係数を乗算する構成としてもよい。
例えば、前記したように、旋回している車両Ｖは直進走行しているときに比べてスリップしやすい状態になる。したがって、車両Ｖが旋回しているとき（舵角センサ９ａの検出値が所定値より大きいとき）には、「１」より大きな係数が乗算される構成とすることによって、反力発生開度Ｔ２を小さくすることができ、小さなスロットル開度で車両Ｖにスリップが発生しやすい状態であることを運転者に通知できる。
【００６２】
また、前記したように車両Ｖ（図１参照）が前後方向に傾斜している勾配路を走行するときは平坦路を走行する場合に比べてスリップしやすい状態になる。したがって、車両Ｖが勾配路を走行しているとき（傾斜センサ９ｂの検出値が所定値より大きいとき）には、「１」より大きな係数が乗算される構成とすることによって、反力発生開度Ｔ２を小さくすることができ、小さなスロットル開度で車両Ｖにスリップが発生しやすい状態であることを運転者に通知できる。
また、前記したように車両Ｖが低速で走行しているときは所定の走行速度（クルーズ速度）で走行している場合に比べてスリップしやすい状態になる。したがって、車両Ｖが低速走行しているとき（従動輪回転速度計ＲＳ２の検出値が所定値より小さい場合）には、「１」より大きな係数が乗算される構成とすることによって、反力発生開度Ｔ２を小さくすることができ、小さなスロットル開度で車両Ｖにスリップが発生しやすい状態であることを運転者に通知できる。
【００６３】
このように反力制御装置４は、図４に示すステップＳ１〜Ｓ１２の手順を、例えば所定のインターバルで繰り返し実行して、車両Ｖの車速等の走行状態に応じて基準開度Ｔ１を演算するとともに、車両Ｖが走行する路面状態に応じた好適な反力発生開度Ｔ２を設定する。
【００６４】
なお、図４に示すフローチャートでは、ステップＳ７またはステップＳ１１で基準開度Ｔ１と反力発生開度Ｔ２の偏差ΔＴを演算し、次のステップＳ１２において、基準開度Ｔ１から偏差ΔＴを減算した値（開度）を反力発生開度Ｔ２としている。
このような構成とせず、スロットル開度（ストロークセンサ５の検出値に基づいて演算されるスロットル開度）に基づいて反力発生開度Ｔ２を設定する構成としてもよい。
例えば、ステップＳ６で算出する開度減少量Ｔａを、スリップが発生したと反力制御装置４が判定したときのスロットル開度から減算した開度を反力発生開度Ｔ２とする構成であってもよい。
また、例えば、ステップＳ１０で算出する開度増加量Ｔｂを、スリップが発生しないと反力制御装置４が判定したときのスロットル開度に加算した開度を反力発生開度Ｔ２とする構成であってもよい。
【００６５】
以上のように本実施形態に係る反力制御装置４（図１参照）は、アクセルペダル操作部２（図１参照）に付与する付加反力を発生するスロットル開度（反力発生開度Ｔ２）を、車両Ｖ（図１参照）が走行している路面状態に応じて適宜変更可能である。具体的に反力制御装置４は、車両Ｖが走行している路面がスリップしやすい路面状態のときに反力発生開度Ｔ２を小さくできる。
この構成によると、車両Ｖがスリップしやすい低μ路を走行しているときには、小さなスロットル開度でアクセルペダル操作部２に付加反力が付与されてペダル反力が強くなる。したがって、運転者は、小さなスロットル開度で車両Ｖにスリップが発生しやすい路面状態であることをペダル反力の変化によって認識できる。
【００６６】
例えば圧雪路など、路面μが極端に低い環境において車両Ｖ（図１参照）の走行を開始するときに駆動輪が空転（スリップ）して走行を開始できない場合がある。
このような状態において、本実施形態に係るアクセルペダル装置１（図１参照）は、反力制御装置４（図１参照）がスリップを検出するたびに反力発生開度Ｔ２を小さくし、スリップが発生しない限界のスロットル開度（エンジン出力）を反力発生開度Ｔ２に設定できる。
運転者は、スロットル開度が反力発生開度Ｔ２になるまで、つまり、ペダル反力が強くならない範囲でアクセルペダル操作部２（図１参照）を踏み込むことによって、スリップが発生しない範囲で最大のトルクを駆動輪に付与することができ、路面μが極端に低い環境でも好適に車両Ｖの走行を開始できる。
【００６７】
なお、本実施形態において、基準開度Ｔ１を境界とするスロットル開度の開閉で切り換わる走行特性の一例をロックアップクラッチのＯＮとＯＦＦとしたが、これに限定されない。
例えば、オートマチックトランスミッションがシフトダウンするスロットル開度を基準開度Ｔ１とする構成であってもよいし、車両Ｖ（図１参照）に搭載されるエンジンが気筒休止エンジンの場合は、気筒の一部が休止する休筒運転と、全ての気筒を作動させる全筒運転を切り換えるスロットル開度を基準開度Ｔ１とする構成であってもよい。
【００６８】
または、走行用モータとエンジンをともに備えるハイブリッド車両（図示せず）において、モータ走行と、エンジン走行と、モータとエンジンの併用走行と、を切り換えるスロットル開度を基準開度Ｔ１とする構成であってもよい。
【００６９】
また、本実施形態においては、スロットル開度が反力発生開度Ｔ２を超えるようにアクセルペダル操作部２（図１参照）が踏み込み操作された場合にスリップを検出しないときに、反力制御装置４（図１参照）が開度増加量Ｔｂだけ反力発生開度Ｔ２を大きくする構成とした。これに加え、例えば、反力発生開度Ｔ２が変更されてから、所定の時間に亘って車両Ｖ（図１参照）のスリップを検出しないときは、スロットル開度が反力発生開度Ｔ２以下の状態であっても、反力制御装置４が開度増加量Ｔｂだけ反力発生開度Ｔ２を大きくする（偏差ΔＴを開度増加量Ｔｂだけ小さくする）構成であってもよい。この場合の所定の時間は、実験計測等で予め設定されていることが好ましい。
【００７０】
または、所定の時間（例えば、１秒間）に亘って連続して車両Ｖ（図１参照）のスリップを検出した場合、反力制御装置４が非常に滑りやすい路面状態と判定し、スロットル開度が反力発生開度Ｔ２を超えていても開度減少量Ｔａだけ反力発生開度Ｔ２を小さくする（偏差ΔＴを開度減少量Ｔａだけ大きくする）構成であってもよい。この場合の所定の時間も実験計測等で予め設定されていることが好ましい。
【００７１】
また、本実施形態においてはスロットル開度に基づいてペダル反力を調節する構成としたが、スロットル開度の代わりにアクセルペダル開度（アクセルペダル操作部２（図１参照）のストローク量）を用いる構成としてもよい。
【符号の説明】
【００７２】
１      アクセルペダル装置
２      アクセルペダル操作部
３      反力発生装置（反力調節手段）
４      反力制御装置（閾値設定手段、路面状態検出手段）
９ａ    舵角センサ（旋回検出手段）
９ｂ    傾斜センサ（傾斜検出手段）
１０    アクセルペダル反力制御装置
Ｔａ    開度減少量（所定の減少量）
Ｔｂ    開度増加量（所定の増加量）
ＲＳ２  従動輪回転速度計（車速検出手段）
Ｖ      車両
【図１】
0005775434.tif 000002
【図２】
0005775434.tif 000003
【図３】
0005775434.tif 000004
【図４】
0005775434.tif 000005